(57)【要約】【課題】比較的大型の演出表示装置を採用した遊技機において、レール部材と役物との遊技盤に対する組み付けを容易にすることができる遊技機を提供する。【解決手段】遊技領域２８の遊技面積に対する設置面積の占める割合が約５０％以上となる演出図柄表示装置６２を備えたパチンコ機１０において、内レール５２と普通図柄作動ゲート７８とが一体形成されているため、遊技機の部品点数を削減できる。また、内レール５２又は普通図柄作動ゲート７８の一方を取り付けることにより他方も取り付けられるため、内レール５２と普通図柄作動ゲート７８とが独立分離している構成と比較して、組立工数を削減することができる。【選択図】      図８
2008125849.tif 000002
【特許請求の範囲】
【請求項１】
遊技盤に取り付けられ遊技領域を区画形成するレール部材と、前記遊技盤に取り付けられ遊技球が通過又は入球可能な入球部材と、前記遊技盤に取り付けられ所定の図柄を表示するとともに前記遊技領域の遊技面積に対する設置面積の占める割合が約５０％以上となる演出表示装置と、を有する遊技機であって、
前記レール部材と前記入球部材とが一体形成されていることを特徴とする遊技機。
【請求項２】
前記レール部材と前記入球部材とを連結する連結部を有し、
前記連結部は、前記入球部材に接続した接続部材を隠すための遮蔽部として機能することを特徴とする請求項１に記載の遊技機。
【請求項３】
前記レール部材と前記入球部材とを連結する連結部を有し、
前記連結部は、前記遊技領域に供給された遊技球が通過可能な遊技球通過部として機能することを特徴とする請求項１に記載の遊技機。
【請求項４】
前記連結部は、前記遊技領域に供給された遊技球が通過可能な遊技球通過部として機能することを特徴とする請求項２に記載の遊技機。
【請求項５】
普通図柄を表示する図柄表示装置を設け、
前記入球部材は、遊技球の通過により、前記図柄表示装置に表示された前記普通図柄の変動が開始されて前記普通図柄の当否を決定する抽選処理が実行される始動ゲートであることを特徴とする請求項１乃至４のいずれか１項に記載の遊技機。
【請求項６】
前記遊技盤は、透明部材で構成されていることを特徴とする請求項１乃至５のいずれか１項に記載の遊技機。
【発明の詳細な説明】
【技術分野】
【０００１】
本発明は、遊技盤上に遊技領域を区画形成するレール部材と、遊技球が通過する入球部材と、を有する遊技機に関する。
【背景技術】
【０００２】
従来の遊技機の中には、特別図柄を表示させる演出表示装置の遊技領域に占める割合を大きく設定した遊技機が知られている。近年、ますます、その傾向が顕著になり、遊技機に用いられる演出表示装置として、１５インチ以上の大型のものが採用されている。
【０００３】
また、通常の大きさの演出表示装置を採用した遊技機の中には、遊技領域を区画形成するレール部材の他に、普通電動役物、飾り部材、入賞表示ランプ及び入賞装置などの役物が遊技盤にそれぞれ取り付けられているが、取付工数を低減させて組み立てを容易にするために、レール部材と役物を一体化している遊技機も知られている（下記特許文献１参照）。
【特許文献１】特開２０００−１０７４２１号公報
【発明の開示】
【発明が解決しようとする課題】
【０００４】
ところで、大型の演出表示装置を採用すると、表示される図柄に迫力が出て、遊技を面白くする１つの原因にもなるが、演出表示装置が大型であるため、その分だけ遊技領域の中で遊技球が通過可能な領域が狭くなるという別の問題が生じている。
【０００５】
特に、レール部材と役物を一体化する場合には、レール部材と役物との接続部分が生じてしまい、この接続部分が遊技領域上に位置することになると、余計に遊技領域の中で遊技球が通過可能な領域を狭くする結果になる。
【０００６】
このため、大型の演出表示装置を採用した遊技機においては、組立性を向上するためにレール部材と役物を一体化する場合には、遊技領域の中で遊技球が通過可能な領域が狭くならないように、別途、工夫する必要が生じてくる。
【０００７】
また、役物には配線（ハーネス）などの接続部材が接続されていることが多いが、この配線（ハーネス）が遊技者側から見えてしまわないように配慮しなければならない。特に、遊技盤が透明部材で構成されている場合でも、役物が入賞装置であれば、入賞装置自体が比較的大きいので、配線などを隠すことができる。しかし、例えば、比較的小型の役物が入賞装置から離れている部位に取り付けられている構成では、配線などを入賞装置で隠すことができず、透明な遊技盤を通して遊技者側から見えてしまい、美観の観点から問題が生じてしまう。
【０００８】
そこで、本発明は、比較的大型の演出表示装置を採用した遊技機において、レール部材と役物との遊技盤に対する組み付けを容易にすることができる遊技機を提供することを目的とする。
【０００９】
また、本発明は、比較的大型の演出表示装置を採用した遊技機において、レール部材と役物とを一体形成した場合でも、遊技領域の中で遊技球が通過可能な領域が狭くなることを防止できる遊技機を提供することを目的とする。
【００１０】
さらに、本発明は、比較的大型の演出表示装置を採用した遊技機において、レール部材と役物とを一体形成した場合でも、配線などが遊技者から見えてしまうことを防止できる遊技機を提供することを目的とする。
【課題を解決するための手段】
【００１１】
請求項１に記載の発明は、遊技盤に取り付けられ遊技領域を区画形成するレール部材と、前記遊技盤に取り付けられ遊技球が通過又は入球可能な入球部材と、前記遊技盤に取り付けられ所定の図柄を表示するとともに前記遊技領域の遊技面積に対する設置面積の占める割合が約５０％以上となる演出表示装置と、を有する遊技機であって、前記レール部材と前記入球部材とが一体形成されていることを特徴とする。
【００１２】
請求項２に記載の発明は、請求項１に記載の遊技機において、前記レール部材と前記入球部材とを連結する連結部を有し、前記連結部は、前記入球部材に接続した接続部材を隠すための遮蔽部として機能することを特徴とする。
【００１３】
請求項３に記載の発明は、請求項１に記載の遊技機において、前記レール部材と前記入球部材とを連結する連結部を有し、前記連結部は、前記遊技領域に供給された遊技球が通過可能な遊技球通過部として機能することを特徴とする。
【００１４】
請求項４に記載の発明は、請求項２に記載の遊技機において、前記連結部は、前記遊技領域に供給された遊技球が通過可能な遊技球通過部として機能することを特徴とする。
【００１５】
請求項５に記載の発明は、請求項１乃至４のいずれか１項に記載の遊技機において、普通図柄を表示する図柄表示装置を設け、前記入球部材は、遊技球の通過により、前記図柄表示装置に表示された前記普通図柄の変動が開始されて前記普通図柄の当否を決定する抽選処理が実行される始動ゲートであることを特徴とする。
【００１６】
請求項６に記載の発明は、請求項１乃至５のいずれか１項に記載の遊技機において、前記遊技盤は、透明部材で構成されていることを特徴とする。
【発明の効果】
【００１７】
請求項１に記載の発明によれば、遊技領域の遊技面積に対する設置面積の占める割合が約５０％以上となる演出表示装置を備えた遊技機において、レール部材と入球部材とが一体形成されているため、遊技機の部品点数を削減できる。また、レール部材又は入球部材の一方を取り付けることにより他方も同時に取り付けられるため、レール部材と入球部材とが独立分離している構成と比較して、組立工数を削減することができる。この結果、レール部材と入球部材の組み付けが容易になる。特に、遊技領域の遊技面積に対する設置面積の占める割合が約５０％以上となる大型の演出表示装置を備えた遊技機においては、遊技領域の中で遊技球が通過可能な領域の確保の観点から、遊技盤に取り付けられる各構成部品を場所・部位が限られるので、レール部材と入球部材を一体化することにより、容易に組み付けることができる。
【００１８】
請求項２に記載の発明によれば、レール部材と入球部材を連結する連結部を有しており、その連結部は、入球部材に接続した接続部材を隠すための遮蔽部として機能する。これにより、入球部材に接続された接続部材は、レール部材と入球部材とを連結する連結部で隠れることになるため、遊技盤が透明部材で構成されている場合でも、遊技者に接続部材が見えてしまうことを防止できる。この結果、遊技機の美観性を損なうことを防止できる。
【００１９】
請求項３に記載の発明によれば、レール部材と入球部材とを連結する連結部を有しており、その連結部は、遊技領域に供給された遊技球が通過可能な遊技球通過部として機能する。これにより、遊技領域に供給された遊技球は、レール部材と入球部材とを連結する連結部を通過することが可能になるため、連結部も遊技領域の中で遊技球が通過可能な領域の一部として利用することができる。この結果、比較的大型の演出表示装置を用いた構成において、レール部材と入球部材とを連結する連結部が形成された場合でも、遊技領域の中で遊技球が通過可能な領域が狭くなってしまうことを防止することができる。
【００２０】
請求項４に記載の発明によれば、連結部は、遊技領域としての機能を有する他に、入球部材に接続した接続部材を隠す遮蔽部としての機能も兼備することになるため、１つの連結部に２つの機能を持たせることができる。この結果、入球部材に接続した接続部材を隠すために、連結部とは別の部材を遊技盤に別途取り付ける必要がなく、遊技機の部品点数及び組立工数を削減することができる。
【００２１】
請求項５に記載の発明によれば、入球部材は、遊技球の通過により、図柄表示装置に表示された普通図柄の変動が開始されて普通図柄の当否を決定する抽選処理が実行される始動ゲートである。これにより、他の入賞装置と比較的離れた部位に始動ゲートが設けられた構成でも、始動ゲートに接続した接続部材（配線、ハーネス）を連結部で隠すことができる。この結果、始動ゲートを遊技盤に組み付けるときの組付自由度を制限してしまうことを防止できる。なお、普通図柄を表示する図柄表示装置は、特別図柄を表示する演出図柄表示装置と兼用してもよいし、演出図柄表示装置とは別に設けられてもよい。
【００２２】
請求項６に記載の発明によれば、遊技盤が透明部材で構成されているため、ベニヤ板に慣れている遊技者には斬新な印象を与えることが可能となる。このときでも、レール部材と入球部材とを連結する連結部が入球部材に接続した接続部材を隠すことができるため、遊技者に接続部材を見られてしまうことを防止できる。この結果、斬新性が向上し、かつ美観性に優れた遊技機を提供することができる。また、レール部材と入球部材とを連結する連結部が遊技球通過部として機能することにより、斬新性に富み、かつ大型の演出表示装置を採用した構成でも遊技領域の中で遊技球が通過可能な領域が狭くならない遊技機を提供することができる。
【発明を実施するための最良の形態】
【００２３】
次に、本発明の第１実施形態に係る遊技機について、図面を参照して説明する。なお、本実施形態では、本発明を弾球遊技機の一例であるパチンコ機に適用した構成を説明する。
【００２４】
図１及び図２に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００２５】
外枠１２は、木製の板状体を略長方形の額縁状に組立て固着したものである。内枠１４は、全体がブラスチック製で、外枠１２に対して開閉可能に軸支されている。また、内枠１４の右端中央には施錠装置２２が設けられている。
【００２６】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図３参照）を前方から視認するべく、遊技盤２６に形成された遊技領域２８（図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００２７】
また、図１及び図２に示すように、前面枠１６の左上方側及び右上方側には、メインスピーカ（図示省略）から出力された音声を前面枠１６の外部に導くための導音部３４がそれぞれ設けられている。各導音部３４は、円筒状の導音部本体３２と、導音部本体３６に形成された複数のスリット３８と、で構成されている。
【００２８】
また、前面枠１６の下方側には、上皿部１８が設けられている。この上皿部１８には、演出ボタン４０と、球貸し操作部１５５と、がそれぞれ設けられている。
【００２９】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００３０】
また、図１及び図２に示すように、下皿部２０の左右下方側には、所定の効果音を出力するための各サブスピーカ４８がそれぞれ設けられている。
【００３１】
また、内枠１４には、遊技領域２８（図３参照）の形状に合致した開口部（図示省略）が形成されている。この内枠１４の内側面には、遊技盤２６（図３参照）が取り付けられる。これにより、遊技者は、遊技盤２６の遊技領域２８を内枠１４の開口部及び前面枠１６の開口部３０を通して視認することができる。
【００３２】
さらに、パチンコ機１０の正面左側には、球貸装置（球貸部）１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００３３】
また、球貸し操作部１５５には、球貸しを要求するための球貸スイッチ１５６、カード挿入口１５７に挿入されたプリペイドカードの返却を要求するための返却スイッチ１５８と、がそれぞれ設けられている。
【００３４】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数に対応する数量の遊技球（貸球）が上皿部１８に案内される。このとき、例えば、プリペイドカードの残り度数が減算されて「０」となった場合には、カード挿入口１５７から自動的にプリペイドカードが返却される。
【００３５】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額に対応する数量の遊技球（貸球）が上皿部１８に案内される。
【００３６】
次に、遊技盤２６の表面構造について図３を参照して説明する。
【００３７】
図３に示すように、遊技盤２６は、内枠１４に保持されるとともに、裏機構盤（図示省略）よりその背面側が覆われている。この遊技盤２６は、無色透明の樹脂で形成されている。なお、遊技盤２６は、無色透明の樹脂で構成される場合に限られず、有色であっても透明の樹脂で形成されていることが好ましい。遊技盤２６には、遊技盤２６の表面に設けられた外レール５０と内レール５２とにより略円形状の遊技領域２８が区画形成されている。また、外レール５０と内レール５２は、ともに樹脂で形成されている。遊技領域２８の内部には、演出図柄表示装置６２と、始動口５６Ｂを有する普通電動役物５６と、多数の障害釘６０と、がそれぞれ配設されている。
【００３８】
演出図柄表示装置６２として、遊技領域２８の遊技面積に対する設置面積の占める割合が約５０％以上となる大型の液晶表示装置が採用されている。ここで、「遊技領域２８の遊技面積に対する設置面積の占める割合」とは、演出図柄表示装置６２の正面視で捉えられる部分を遊技領域２８に投影したときに、その投影部分の遊技領域２８の遊技面積に対する割合を意味する。具体的には、演出図柄表示装置６２は、１５インチ以上の大型のものが用いられている。
【００３９】
ここで、演出図柄表示装置６２として、遊技領域２８の遊技面積に対する演出図柄表示装置６２の設置面積の占める割合について、具体的に説明する。
【００４０】
遊技領域２８は、半径２１７ｍｍの円に設定されている。この遊技領域２８の面積は、２１７（半径）×２１７（半径）×３．１４（円周率）＝１４７８５９.４６平方ｍｍ（ｍｍ２）となる。そして、演出図柄表示装置６２として、１７インチの液晶表示装置を採用すると、演出図柄表示装置６２の縦３３７．５ｍｍ、横２７２．３ｍｍとなる。このため、演出図柄表示装置６２の面積は、９１９０１．２５平方ｍｍ（ｍｍ２）となる。このとき、遊技領域２８の遊技面積に対する演出図柄表示装置６２の設置面積の占める割合は、（９１９０１．２５／１４７８５９.４６）×１００で計算されて、約６２．２％となる。
【００４１】
また、出図柄表示装置６２として、１５インチの液晶表示装置を採用すると、演出図柄表示装置６２の縦３０５ｍｍ、横２４３．５ｍｍとなる。このため、演出図柄表示装置６２の面積は、７４２６７．５平方ｍｍ（ｍｍ２）となる。このとき、遊技領域２８の遊技面積に対する演出図柄表示装置６２の設置面積の占める割合は、（７４２６７．５／１４７８５９.４６）×１００で計算されて、約５０．２％となる。
【００４２】
また、演出図柄表示装置６２は、後述の主制御基板１０２（図４参照）やサブ制御基板１０６（図４参照）からの制御信号に基づいて表示制御されており、略長方形状の映像画面を有している。この映像画面上には、特別図柄の擬似図柄である擬似特別図柄（擬似図柄）が表示される。具体的には、演出図柄表示装置６２の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００４３】
演出図柄表示装置６２は、遊技球が普通電動役物５６の始動口５６Ｂに入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、後述の変動入賞装置８０に配設された後述の大入賞装置８４の大入賞口８６が開放される。本実施形態のパチンコ機１０では普通電動役物５６の始動口５６Ｂに遊技球が入球すると、各擬似特別図柄がそれぞれ変動され、擬似特別図柄が３桁同一図柄で揃うことにより、「大当り」という特定価値を付与するものである。
【００４４】
なお、本実施形態では、遊技者が演出図柄表示装置６２の図柄表示を見易いようにするため、演出図柄表示装置６２の前面には遊技球が通過しない構成としている。具体的には，演出図柄表示装置６２の上に傘となる部分をつくり、遊技球が演出図柄表示装置６２の前面に行かないようにしている。
【００４５】
ここで、本実施形態のパチンコ機１０では、例えば、大当りとして２種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。
【００４６】
確変大当り及び通常大当りは、比較的多くのラウンド数（例えば１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば２６秒間）が経過したときに大入賞口８６が閉じられて１ラウンドが終了する。
【００４７】
また、確率変動状態は、大当り（確変大当り、通常大当りの２種類の大当り意味する）に移行する確率が予め定められた高確率となる状態である。また、開放時間延長状態は、普通電動役物５６の始動口５６Ｂの開放時間が通常よりも延長される状態である。例えば、通常の開放時間は、約０．１秒間であるのに対して、開放時間延長状態では、約４秒間に延長される。なお、普通電動役物５６の始動口５６Ｂは、普通図柄に当選することにより開放する。
【００４８】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物５６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物５６の開放延長機能が作動する時短遊技状態となる。
【００４９】
また、遊技領域の左下方側には、主制御基板１０２からの制御信号に基づいて本図柄（特別図柄の本図柄及び普通図柄の本図柄を意味する）を表示制御する７セグ表示基板（図柄表示装置）６８が配置されている。この７セグ表示基板６８は、特別図柄の本図柄を表示する７セグメント表示器７０と、４個の普通図柄保留表示ＬＥＤ７２と、４個の特別図柄保留表示ＬＥＤ７４と、普通図柄の本図柄を表示する２個の普通図柄表示ＬＥＤ７６と、を有している。
【００５０】
ここで、確変大当りした場合では、７セグメント表示器７０には、予め定められた図柄（例えば奇数の数字）が表示される。また、通常大当りした場合では、７セグメント表示器７０には、予め定められた別の図柄（例えば偶数の数字）が表示される。そして、各大当りのラウンド中では、７セグメント表示器７０にはその図柄が表示される。
【００５１】
また、演出図柄表示装置６２の左側には、普通図柄作動ゲート（入球部材、始動ゲート）７８が配置されている。この普通図柄作動ゲート７８の内部には、ゲートスイッチ１２４（図４参照）が配設されている。これにより、遊技球が普通図柄作動ゲート７８を通過すると、ゲートスイッチ１２４が作動して、７セグ表示基板６８の普通図柄表示ＬＥＤ７６が変動表示される。なお、ゲートスイッチ１２４には、ゲートスイッチ１２４を機能させるための配線（ハーネス）５４（図８及び図９参照）が接続されている。
【００５２】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、普通電動役物５６の始動口５６Ｂに入球した遊技球の数も４個まで特別図柄の保留とし、入球ごとに順次点灯しシフト表示するものである。７セグメント表示器７０の変動表示が開始するたびに、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、後述の大入賞口８６が開放状態となる。また、２個の普通図柄表示ＬＥＤ７６が予め定められた表示態様（当り図柄）で停止表示されると、普通図柄当りが発生し、普通電動役物５６の始動口５６Ｂが開放状態となる。なお、７セグメント表示器７０にて表示される特別図柄の本図柄と、演出図柄表示装置６２にて表示される特別図柄の擬似図柄とは、同一の遊技結果（抽選結果）を示すものである。
【００５３】
ここで、図８に示すように、普通図柄作動ゲート７８は、内レール５２と同質の樹脂で構成されており、普通図柄作動ゲート７８と内レール５２は一体形成されている。すなわち、普通図柄作動ゲート７８と内レール５２を形成できるような型を作成し、この型の中に溶融した樹脂（プラスチック樹脂など）を流し込み、その後冷却させることにより、普通図柄作動ゲート７８と内レール５２を容易に一体形成することができる。なお、普通図柄作動ゲート７８と内レール５２は、有色の樹脂で構成されていることが好ましい。
【００５４】
また、普通図柄作動ゲート７８と内レール５２との間には、両者を連結する連結片６４が形成されている。この連結片６４の厚みは薄く、厚みが２ｍｍ以下に設定されている。普通図柄作動ゲート７８と内レール５２とが遊技盤２６に組み付けられると、この連結片６４も遊技盤２６上に位置することになるが、厚みが薄いので、遊技球Ｍの通過や落下軌跡に悪影響を及ぼすことはない。
【００５５】
なお、図９に示すように、遊技盤２６自体に、連結片６４が嵌められる溝５８を形成しておいてもよい。この場合、溝５８の深さを連結片６４の厚みと同じ寸法に設定することにより、普通図柄作動ゲート７８と内レール５２とが遊技盤２６に組み付けられると、連結片６４が溝５８に嵌められて、連結片６４と遊技盤面とが面一（段差のない状態）になる。この構成では、連結片６４が遊技球Ｍの通過や落下軌跡に与える悪影響は皆無となる。
【００５６】
このように、普通図柄作動ゲート７８と内レール５２とが遊技盤２６に組み付けられると、連結片６４は遊技盤面上に位置することになるが、連結片６４の上を遊技球Ｍが通過することが可能になるため、連結片６４を遊技領域２８の一部として利用することができる。また、普通図柄作動ゲート７８内部のゲートスイッチ１２４（図４参照）には、配線（ハーネス）５４を接続されることになるが、これらの配線（ハーネス）５４は遊技者側（図８及び図９中矢印Ｗ方向）から見て遊技盤２６の裏側に通される。このとき、配線（ハーネス）５４は、遊技盤面上に位置した連結片６４の裏側を通すことにより、配線（ハーネス）５４を連結片６４で遮蔽することができる。この結果、配線（ハーネス）５４は連結片６４で隠れた状態となるため、遊技者側から配線（ハーネス）５４が見えてしまうことを防止できる。
【００５７】
以上のように、普通図柄作動ゲート７８と内レール５２とを連結する連結片６４は、遊技領域２８の一部となる遊技球通過部としての機能と、配線（ハーネス）５４を隠す遮蔽部としての機能を兼備している。
【００５８】
普通電動役物５６の始動口５６Ｂは、演出図柄表示装置６２の下方に離れて配置されているものであり、いわゆるチューリップ式で一対の翼片部５６Ａが開閉するように形成されている。その内部には、遊技球の通過を検知する始動口スイッチ１２０（図４参照）と、翼片部５６Ａを作動させるための普通電動役物ソレノイド１３０（図４参照）と、がそれぞれ備えられている。この一対の翼片部５６Ａが左右に開くと始動口５６Ｂの開放面積が大きくなって遊技球の入球可能性が大きくなる開放状態となり、一対の翼片部５６Ａが閉じその離間距離が小さくなると始動口５６Ｂの開放面積が小さくなって遊技球の入球の可能性が小さくなる通常状態となる。
【００５９】
変動入賞装置８０は、普通電動役物５６の下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図４参照）と、入賞球を検知するカウントスイッチ１２６（図４参照）と、を備えている。
【００６０】
また、遊技領域２８の左側下方部及び右側下方には、一対のサイドランプ９０がそれぞれ配置されている。
【００６１】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００６２】
次に、パチンコ機１０を構成する電子制御装置について説明する。
【００６３】
図４乃至図７に示すように、電子制御装置は、主制御基板１０２と、払出制御基板１０４と、サブ制御基板１０６と、発射制御基板１０８と、を備えている。
【００６４】
図４に示すように、主制御基板１０２は、ＣＰＵ１０２Ａと、ＲＯＭ１０２Ｂと、を備えている。
【００６５】
また、主制御基板１０２のＣＰＵ１０２Ａは、ＲＯＭ１０２Ｂに記憶されたデータに基づいて、後述の普通電動役物ソレノイド１３０、後述の大入賞口ソレノイド１３２、後述の図柄表示装置１３４及びサブ制御基板１０６をそれぞれ制御する。また、主制御基板１０２のＣＰＵ１０２Ａは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００６６】
また、主制御基板１０２のＲＯＭ１０２Ｂには、ＣＰＵ１０２Ａにより実行される遊技全体の制御を実現するためのプログラムが記憶されている。
【００６７】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００６８】
また、主制御基板１０２は、中継端子板１２８を介して、普通電動役物ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００６９】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００７０】
また、球貸表示基板１５２には、球貸スイッチ１５６と、返却スイッチ１５８と、がそれぞれ電気的に接続されている。また、払出制御基板１０４は、中継端子板１６０を介して、払出モータ１６２と払出スイッチ１６４とにそれぞれ電気的に接続されている。さらに、払出制御基板１０４は、主制御基板１０２と発射制御基板１０８とにそれぞれ電気的に接続されている。
【００７１】
図４及び図５に示すように、サブ制御基板１０６は、演出表示基板１１０と、アンプ基板１１２と、装飾駆動基板１１４と、演出ボタン基板１１６と、にそれぞれ電気的に接続されている。
【００７２】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００７３】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００７４】
また、ＲＯＭ１０６Ｂには、各基板の制御に必要なデータ（特に遊技の装飾に関する情報）が記憶されている。
【００７５】
また、図５に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示される擬似特別図柄のデータが記憶されている。なお、演出図柄表示装置６２は、演出表示装置１６６の一実施形態である。
【００７６】
また、図５に示すように、アンプ基板１１２には、所定の効果音を出力する各種スピーカ１７０（４８）が電気的に接続されている。なお、サブスピーカ４８は、各種スピーカ１７０の一実施形態である。
【００７７】
また、図５に示すように、装飾駆動基板１１４には、各種ＬＥＤ・ランプ１７２（６６）が電気的に接続されている。また、装飾駆動基板１１４は、サブ制御基板１０６からのコマンドを受けて遊技の装飾に関する制御を行うものである。また、演出ボタン基板１７８には、操作スイッチ１７４（４０）が電気的に接続されている。なお、ランプ装置６６は、各種ＬＥＤ・ランプ１７２の一実施形態である。また、演出ボタン４０は、操作スイッチ１７４の一実施形態である。
【００７８】
また、図６に示すように、主制御基板１０２、サブ制御基板１０６、払出制御基板１０４及び発射制御基板１０８には、各基板１０２、１０４、１０６、１０８に電力をそれぞれ供給するための電源基板１７６が接続されている。
【００７９】
また、図７に示すように、発射制御基板１０８には、発射駆動基板１７８を介して、発射モータ１８０と、発射停止スイッチ１８２（６４）と、タッチスイッチ１８４と、がそれぞれ電気的に接続されている。また、発射制御基板１０８には、球送りソレノイド１８６が電気的に接続されている。
【００８０】
次に、本実施形態の遊技機の作用について説明する。
【００８１】
図３及び図８（図９）に示すように、遊技領域２８の遊技面積に対する設置面積の占める割合が約５０％以上となる演出図柄表示装置６２を備えたパチンコ機１０において、内レール５２と普通図柄作動ゲート７８とが一体形成されているため、パチンコ機１０の部品点数を削減できる。また、内レール５２又は普通図柄作動ゲート７８の一方を取り付けることにより他方も同時に取り付けられるため、内レール５２と普通図柄作動ゲート７８とが独立分離している構成と比較して、組立工数を削減することができる。この結果、内レール５２と普通図柄作動ゲート７８の組み付けが容易になる。特に、遊技領域２８の遊技面積に対する設置面積の占める割合が約５０％以上となる大型の演出図柄表示装置６２を備えた遊技機においては、遊技領域２８の確保の観点から、遊技盤２６に取り付けられる各構成部品を場所・部位が限られるので、内レール５２と普通図柄作動ゲート７８を一体化することにより、容易に組み付けることができる。
【００８２】
特に、内レール５２と普通図柄作動ゲート７８とを連結する連結片６４は、普通図柄作動ゲート７８に接続した配線（ハーネス）５４を隠すための遮蔽部として機能する。これにより、普通図柄作動ゲート７８に接続された配線（ハーネス）５４は、内レール５２と普通図柄作動ゲート７８とを連結する連結片６４で隠れることになるため、遊技盤２６が透明部材で構成されている場合でも、遊技者側（図８及び図９中矢印Ｗ方向）から配線（ハーネス）５４が見えてしまうことを防止できる。この結果、パチンコ機１０の美観性を損なうことを防止できる。
【００８３】
また、内レール５２と普通図柄作動ゲート７８とを連結する連結片６４は、遊技領域２８に供給された遊技球Ｍが通過可能な遊技球通過部として機能する。これにより、遊技領域２８に供給された遊技球Ｍは、内レール５２と普通図柄作動ゲート７８とを連結する連結片６４上を通過することが可能になるため、連結片６４も遊技領域２８の一部として利用することができる。この結果、比較的大型の演出図柄表示装置６２を用いた構成において、内レール５２と普通図柄作動ゲート７８とを連結する連結片６４が形成された場合でも、遊技領域２８の中で遊技球が通過可能な領域が狭くなってしまうことを防止することができる。
【００８４】
特に、連結片６４が遮蔽部も兼ねると、連結片６４は、遊技領域２８としての機能を有する他に、普通図柄作動ゲート７８に接続した配線（ハーネス）５４を隠す機能も兼備することになるため、１つの連結片６４で２つの機能を持たせることができる。この結果、普通図柄作動ゲート７８に接続した配線（ハーネス）５４を隠すために、連結片６４とは別の部材を遊技盤２８に別途取り付ける必要がなく、パチンコ機１０の部品点数及び組立工数を削減することができる。
【００８５】
また、普通図柄作動ゲート７８と内レール５２を一体形成することにより、遊技球の通過により、他の入賞装置と比較的離れた部位に普通図柄作動ゲート７８が設けられた構成でも、普通図柄作動ゲート７８に接続した配線（ハーネス）５４を連結片６４で隠すことができる。この結果、普通図柄作動ゲート７８を遊技盤２６に組み付けるときの組付自由度を制限してしまうことを防止できる。
【００８６】
さらに、遊技盤２６が透明部材であるため、ベニヤ板に慣れている遊技者には斬新な印象を与えることが可能となる。また、透明部材の奥にセル画があるので、従来のベニヤ板にセル画が描かれている場合よりも、奥行き、広がりを感じさせることができる。なお、このときでも、内レール５２と普通図柄作動ゲート７８とを連結する連結片６４が普通図柄作動ゲート７８に接続した配線（ハーネス）５４を隠すことができるため、遊技者に配線（ハーネス）５４を見られてしまうことを防止できる。普通図柄作動ゲート７８は、近接スイッチにカバーがついただけの小さな部品であるが、連結片６４で十分配線を隠すことができる。この結果、斬新性が向上し、かつ美観性に優れたパチンコ機１０を提供することができる。また、内レール５２と普通図柄作動ゲート７８とを連結する連結片６４が遊技球通過部として機能することにより、斬新性に富み、かつ大型の演出図柄表示装置６２を採用した構成でも遊技領域２８の中で遊技球が通過する領域が狭くならないパチンコ機１０を提供することができる。
【００８７】
なお、本実施形態では、内レール５２と普通図柄作動ゲート７８とを連結片６４で連結した構成を示したが、これに限られるものではなく、例えば、図１０に示すように、内レール５２と遊技盤２６上に組み付けられる他の入賞装置７９（遊技球の入球により遊技状態が遊技者の有利な状態（例えば、普通図柄や特別図柄の当選確率が上昇するなど）になる入賞装置）とを一体形成するように構成してもよい。この構成の場合でも、各入賞装置７９と内レール５２とは、遊技球が通過可能で遊技領域も兼ねる連結片８１により接続されている。なお、この連結片８１は、連結片６４と同様に、遊技盤２６上に載置されあるいは遊技盤２６の盤面と面一となるように、遊技盤２６に組み付けられている。また、外レール５０を樹脂で構成して、普通図柄作動ゲート７８又は遊技盤２６上に組み付けられる他の入賞装置と一体形成するように構成してもよい。この構成でも、連結片上を遊技球が通過する遊技領域２８の一部として利用するとともに、配線（ハーネス）５４を隠す遮蔽部としての機能を兼備させることにより、上記実施形態と同様の効果を得ることができる。
【図面の簡単な説明】
【００８８】
【図１】本発明の第１実施形態に係る遊技機の正面図である。
【図２】本発明の第１実施形態に係る遊技機の側面図である。
【図３】本発明の第１実施形態に係る遊技機の遊技盤の正面図である。
【図４】本発明の第１実施形態に係る遊技機の電子制御装置の主要部の構成を示すブロック図である。
【図５】本発明の第１実施形態に係る遊技機の電子制御装置を構成するサブ制御基板を説明するための説明図である。
【図６】本発明の第１実施形態に係る遊技機の電子制御装置における電力の供給の流れを説明するための説明図である。
【図７】本発明の第１実施形態に係る遊技機の電子制御装置を構成する発射制御基板を説明するための説明図である。
【図８】本発明の第１実施形態に係る遊技機のレール部材と入球部材との連結状態を示した断面図である。
【図９】本発明の第１実施形態に係る遊技機のレール部材と入球部材との連結状態の変形例を示した断面図である。
【図１０】本発明の第１実施形態に係る遊技機の遊技盤の変形例の正面図である。
【符号の説明】
【００８９】
１０        パチンコ機（遊技機）
２６        遊技盤
５２        内レール（レール部材）
５４        配線（接続部材）
６２        演出図柄表示装置（演出表示装置）
６４        連結片（連結部）
６８        ７セグ表示基板（図柄表示装置）
７８        普通図柄作動ゲート（入球部材、始動ゲート）
７９        入賞装置（入球部材）
８１        連結片（連結部）
【図１】
2008125849.tif 000003
【図２】
2008125849.tif 000004
【図３】
2008125849.tif 000005
【図４】
2008125849.tif 000006
【図５】
2008125849.tif 000007
【図６】
2008125849.tif 000008
【図７】
2008125849.tif 000009
【図８】
2008125849.tif 000010
【図９】
2008125849.tif 000011
【図１０】
2008125849.tif 000012